(57)【要約】      （修正有）【課題】極めて容易に、かつ迅速にリターンローラの交換ができるリターンローラの交換装置を提供する。【解決手段】リターンローラの交換装置は、コンベヤフレーム５の下方の支持部材７に設けられた回動操作部材の操作で可逆回動する駆動軸９と、支持部材７の内側に位置して駆動軸９に取り付けた起伏状回動するローラ受け回転フレームＣと、ローラ受け回転フレームＣの伏せ方向の回動によりリターン側ベルトａを押し上げる連結部材２３と起立姿勢のローラ受け回転フレームＣの上縁にてリターンローラＢの支軸２を不回転状態に保持する欠除部２１とからなり、ローラ受け回転フレームＣの起立姿勢時に駆動軸９の軸芯が支軸２の軸芯よりも低い位置になる。【選択図】図３
0003234953.tif 000002
【実用新案登録請求の範囲】
【請求項１】
ベルトコンベヤに於けるリターンローラの両端設置の外側にコンベヤフレームから下方に突出するように設けた支持部材と、この各支持部材の下部に回動操作部材の操作にともない可逆回動するように軸承した駆動軸と、上記両支持部材の内側に位置して上記駆動軸の内端に取り付けた起伏状回動するローラ受け回転フレームと、このローラ受け回転フレームの起立姿勢を維持するように上記支持部材に対する前記ローラ受け回転フレームの回動を止めるように設けた固定手段と、上記両側の対向ローラ受け回転フレームが同調回動するように連結すると共に、前記ローラ受け回転フレームの伏せ方向の回動にともないリターン側ベルトを押し上げるように設けた連結部材と上記起立姿勢のローラ受け回転フレームの上縁から下方にＵ字状に欠除させて、この欠除の並列両側縁に前記リターンローラの支軸の端部外周面の溝部が係合状態の嵌まり込みにともない前記支軸を不回転状態に保持するように設けた欠除部とからなり、前記ローラ受け回転フレームの起立姿勢の状況下に前記駆動軸の軸芯が、前記支軸の軸芯よりも低い位置になるようにしたことを特徴とするリターンローラの交換装置。
【考案の詳細な説明】
【技術分野】
【０００１】
この考案は、ベルトコンベヤに於ける破損或いはスムーズな回転を阻害する不良リターンローラの交換を極めて容易に行うことができる交換装置に関する。
【背景技術】
【０００２】
ベルトコンベヤは、周知のように、ヘッドプーリとテールプーリとに無端状のベルトをかけ渡し、ベルトのキャリヤ側裏面は、キャリヤローラで支承され、ベルトのリターン側表面は、リターンローラで支承されている。
【０００３】
このリターンローラは、何らかの原因による破損や或いはスムーズな回転を阻害する原因が発生すると、故障リターンローラの交換が必要になる。
【０００４】
上記リターンローラの交換に際し、リターンローラ上のリターン側ベルトをパイプやその他の治工具或いは揚重機器を用いて上方に持ち上げて、リターンローラに対しリターン側ベルトを浮上させ、その浮上状態を維持しながらリターンローラを引き上げて、ローラスタンドに対するローラ支軸の端部を係合関係が解除されるように脱出させることで交換が可能になる。
【０００５】
しかしながら、交換にともないその都度一々ベルトを浮上させ、また交換後にベルトの浮上を解除するので、著しく手数がかかる問題があった。
【０００６】
その要因は、交換にともないリターンローラにかかるリターン側ベルトの重量をなくするためにある。
【０００７】
そこで、上述のリターン側ベルトの浮上作業をなくして、リターンローラの交換を行うことができるようにした方式がある（例えば、特許文献１参照）。
【先行技術文献】
【特許文献】
【０００８】
【特許文献１】特開２０１５−１４７６３９号公報
【考案の概要】
【考案が解決しようとする課題】
【０００９】
ところで、特許文献１の方式によると、リターンローラの交換に際し、ロック手段によるアームに対する板状体のロックを解除したのち、倒れ方向に板状体を傾動させることで、アームの切欠きからスライダの端を脱出させることができ、その結果、ガイドレールからスライダを引き抜き方向にスライドしながら（不都合がある）リターンローラを回収するようにしてあるので、ガイドレールからスライダの引き抜きが必要になり、またリターンローラの交換後にガイドレールにスライダを嵌装してセットするので、交換に際し著しく手数がかかる問題があった。
【００１０】
特に、交換にともなうスライダの抜き差し方向は、ベルトの長手方向に対し交差する方向のため、コンベヤフレームのサイドに空間がないと設置できない問題もある。
【００１１】
そこでこの考案は、極めて容易に、かつ迅速にリターンローラの交換ができるようにしたことにある。
【課題を解決するための手段】
【００１２】
上記の課題を解決するために、この考案は、ベルトコンベヤに於けるリターンローラの両端設置の外側にコンベヤフレームから下方に突出するように設けた支持部材と、この各支持部材の下部に回動操作部材の操作にともない可逆回動するように軸承した駆動軸と、上記両支持部材の内側に位置して上記駆動軸の内端に取り付けた起伏状回動するローラ受け回転フレームと、このローラ受け回転フレームの起立姿勢を維持するように上記支持部材に対する前記ローラ受け回転フレームの回動を止めるように設けた固定手段と、上記両側の対向ローラ受け回転フレームが同調回動するように連結すると共に、前記ローラ受け回転フレームの伏せ方向の回動にともないリターン側ベルトを押し上げるように設けた連結部材と上記起立姿勢のローラ受け回転フレームの上縁から下方にＵ字状に欠除させて、この欠除の並列両側縁に前記リターンローラの支軸の端部外周面の溝部が係合状態の嵌まり込みにともない前記支軸を不回転状態に保持するように設けた欠除部とからなり、前記ローラ受け回転フレームの起立姿勢の状況下に前記駆動軸の軸芯が、前記支軸の軸芯よりも低い位置になるようにした構成を採用する。
【考案の効果】
【００１３】
以上のように、この考案のリターンローラの交換装置によれば、破損やスムーズな回転が阻害されたリターンローラの交換にともない操作部材の回動によりローラ受け回転フレームを回動させることで、左右のローラ受け回転フレームを同時に回転させる同調連結部材の回転にともない上記連結部材によりリターン側ベルトを押し上げる。
【００１４】
すると、押し上げ（持ち上げ）られたリターン側ベルトとリターンローラとの間に間隙ができて、この作られた間隙によりリターンローラにかかるリターン側ベルトの重量をなくすることができる。
【００１５】
このため、ローラ受け回転フレームに保持されているリターンローラの交換を重量による抵抗がなく、極めて容易に取り外して交換することができる。
【００１６】
この交換容易な要因は、ローラ受け回転フレームの起立姿勢の状況下における駆動軸の軸芯が、リターンローラの支軸の軸芯よりも低い位置となるようにした偏芯回動点とテコの原理を応用したことで、リターンローラとリターン側ベルトとの間に間隙を作り、リターンローラにかかるベルトの重量をなくすることにある。
【００１７】
その結果、交換作業時間を大幅に短縮することができる。すなわち、揚重機器設備や動力源を必要としないことによる大幅な時間短縮と経費削減が可能となった。
【図面の簡単な説明】
【００１８】
【図１】この考案の実施形態を示す縦断正面図である。
【図２】同上の要部を示す一部切欠拡大正面図である。
【図３】同一部切欠拡大正面図である。
【図４】ローラ受け回転フレームの部分を示す拡大側面図である。
【図５】同上の一部切欠拡大側面図である。
【図６】同一部切欠拡大側面図である。
【図７】回動操作に用いるレバーの平面図である。
【図８】同上のレバーの側面図である。
【図９】レバーを用いたローラ受け回転フレームの回転を示す拡大側面図である。
【図１０】レバーの回動途中を示す側面図である。
【図１１】レバーの回動終了を示す側面図である。
【図１２】レバーの回動終了下におけるリターンローラの離脱前の一部切欠側面図である。
【図１３】リターンローラの離脱状態を示す一部切欠側面図である。
【図１４】リターンローラの離脱前の一部切欠側面図である。
【図１５】リターンローラの離脱を示す一部切欠側面図である。
【図１６】ローラ受け回転フレームに対するリターンローラのセットを示す一部切欠側面図である。
【図１７】ローラ受け回転フレームにリターンローラを軸承した状態を示す一部切欠側面図である。
【図１８】ローラ受け回転フレームの回転軸芯とリターンベルトの持ち上げを示す作用図である。
【考案を実施するための形態】
【００１９】
次に、この考案の実施形態を添付図面に基づいて説明する。
図１に示すベルトコンベヤＡは、周知のように、ヘッドプーリとテールプーリ（いずれも図示省略）とに無端状のベルトａをかけ渡して形成され、キャリヤ側ベルトａの裏面は、前後に所定の間隔をなして多数列配置したトラフ形のキャリヤローラ（図示省略）で支承し、また、リターン側ベルトａの表面は、前後に所定の間隔を存して多数列配置したリターンローラＢで支承する。
【００２０】
上記のリターンローラＢは、周知のように、筒状体１と、この筒状体１の中心に貫通すると共に、筒状体１の両端内に組み込んだ軸受（図示省略）により両端部を軸承した支軸２により構成されている。
【００２１】
また、図２から図９に示すように、設置リターンローラＢの両端外側には、コンベヤフレーム５に上端側を例えばボルトとナットとからなる取付金具６を介し支持した支持部材７が設けてある。
【００２２】
この支持部材７の下端側には、図７、８、９に示すように、回動操作部材８の操作にともない可逆回動する軸線が水平な駆動軸９が設けてある。
【００２３】
上記の駆動軸９は、図示の場合、支持部材７の下端に筒状の軸受筒１０を設けて、この軸受筒１０に定位置でフリーに回転するように貫通させてある。
【００２４】
そして、駆動軸９の外側端に角軸部１１を設けて、角軸部１１に回動操作部材８としてハンドルの端に設けてある角孔１２を係合状態に嵌め合わせ、割ピン１３により角軸部１１から操作部材８が脱落しないようになっている。
【００２５】
なお、操作部材８を使用しないとき、操作部材８の途中（図示中央部分）に設けてある角孔１５に角軸部１１を嵌め込んで、割ピンで脱落しないようにしておくと、操作部材８の片端の上方への突出を少なくして、嵩低く格納することができる。
【００２６】
このとき、回動操作部材８を使用しないときハンドル１４が連結部材２３の下側で並行するようにして、回動操作部材８を駆動軸９に取り付けておくことで、作業者の歩行の際、邪魔にならい。
【００２７】
すると、操作部材８により駆動軸９を可逆回動することができる。
図中１４は、回動操作部材８の末端側に設けた操作ハンドル、１５は、回動操作部材８の途中に設けた角孔で、この角孔１５は、角孔１２から離脱させた角軸部１１に嵌め込み係合させることもできる。１６は、回動操作部材８の途中の側面から突出するストッパである。
【００２８】
さらに、両側駆動軸９の内側方への突出端には、支軸２の両端（突出端）を着脱自在に保持するローラ受け回転フレームＣが設けてある。
【００２９】
上記のローラ受け回転フレームＣは、図３、４、５及び６に示すように、駆動軸９の内側端に中央部を固定した外側板１７と、この外側板１７に対向する内側板１８と、外側板１７と内側板１８とに両側縁同士を連結する連結板１９とで角筒状のボックスを形成し、内側板１８の起立姿勢の状況下における上縁から下方にＵ字状に欠除して、この欠除の並列両側縁が支軸２の外周端部の切り込み溝部２０に係合関係になって、この嵌まり込み係合関係で支軸２が不回転状態に保持される欠除部２１が設けてある。
【００３０】
その際、欠除部２１の両端縁は、図６に示すように、支軸２の嵌まり込み底側に対し、上縁から下方途中迄の対向縁を広くして、支軸２の嵌まり込みがスムーズになるようにしておくとよい。
【００３１】
また、左右の両ローラ受け回転フレームＣ、Ｃに同調起伏回動するように連結部材２３の両端が連結してある。
この連結は、図示の場合、内側板１８に連結部材２３の端を溶接により固定してある。
【００３２】
この連結部材２３を設ける要因は、両ローラ受け回転フレームＣ、Ｃが起立姿勢から
伏せの姿勢（倒れ方向）の回転にともない（図１０から図１１に示す）二条の並列上昇先行側の連結部材２３がリターン側ベルトａの表面に当接し、その後上昇にともないリターン側ベルトａを押し上げながら、図１１、１２に示すように、リターンローラＢの上周面からリターン側ベルトａを浮上させて、リターンローラＢの上周面に対する接触をなくしながら、リターンローラＢに対するリターン側ベルトａの荷重をなくする。
【００３３】
すると、図１４から図１５に示すように、倒れ姿勢になったローラ受け回転フレームＣ、Ｃの欠除部２１から支軸２をすべり脱出しやすくなって、交換すべきリターンローラＢの交換をスムーズに行うことができる。
【００３４】
なお、交換リターンローラＢのセットに際し、図１６に示すように、欠除部２１の並行両側縁の下位側縁に下位溝部２０をはめ込み、この状況下から図１７に示すようにローラ受け回転フレームＣ、Ｃを駆動軸９の回転により図１７に示すように起立方向に回動することで、欠除部２１の底側に支軸２が滑りながら落ち込んで支持態勢とすることができる。
【００３５】
このとき、ベルトａに対する連結部材２３の押し上げがないので、リターンローラＢにリターン側ベルトａが接触する。
【００３６】
また、支持部材７に対しローラ受け回転フレームＣが固定手段Ｄで回転を止めるように（リターンローラＢの交換操作以外に）なっている。
上記の固定手段Ｄは、ボルト２４とナット２５を用いたが限定されない。
【００３７】
図中３１は、欠除部２１に嵌め込んだ支軸２の浮き上がり防止片で、この防止片３１は、ビス３２により止める。
【００３８】
なお、防止片３１は、支軸２の浮き上がり防止よりも、ローラ交換時に支軸２が欠除部２１から滑り落ちないためのストッパー的な意味合いの方が強くなる。
【００３９】
また、図１８に示すように、駆動軸９の支点位置（イ）に対しリターンローラＢの支軸２の支点位置（ロ）を、支点位置（イ）に対し支点位置（ロ）を上方に若干高く偏芯させておくことで、リターンローラＢの交換にともなう駆動軸９を回動操作した際、リターンローラＢの降下量が大きくなって、リターン側ベルトａの押し上げ量が少なくてすむ。
【符号の説明】
【００４０】
Ａ  ベルトコンベヤ
ａ  ベルト
Ｂ  リターンローラ
Ｃ  ローラ受け回転フレーム
Ｄ  固定手段
１  筒状体
２  支軸
５  コンベヤフレーム
６  取付金具
７  支持部材
８  回動動作部材
９  駆動軸
１０  軸受筒
１１  角軸部
１２  角孔
１３  割ピン
１４  ハンドル
１５  角孔
１６  ストッパ
１７  外側板
１８  内側板
１９  連結板
２０  溝部
２１  欠除部
２３  連結部材
２４  ボルト
２５  ナット
【図１】
0003234953.tif 000003
【図２】
0003234953.tif 000004
【図３】
0003234953.tif 000005
【図４】
0003234953.tif 000006
【図５】
0003234953.tif 000007
【図６】
0003234953.tif 000008
【図７】
0003234953.tif 000009
【図８】
0003234953.tif 000010
【図９】
0003234953.tif 000011
【図１０】
0003234953.tif 000012
【図１１】
0003234953.tif 000013
【図１２】
0003234953.tif 000014
【図１３】
0003234953.tif 000015
【図１４】
0003234953.tif 000016
【図１５】
0003234953.tif 000017
【図１６】
0003234953.tif 000018
【図１７】
0003234953.tif 000019
【図１８】
0003234953.tif 000020